(57)【要約】【課題】熱履歴部をサーマルヘッド駆動装置内に構成しても、発熱抵抗体部の間隔を小さくすることにより、発熱抵抗体部の発熱によって印刷される印刷物の解像度を向上させることができるサーマルヘッド駆動装置を提供する。【解決手段】サーマルヘッドを駆動して感熱紙にライン毎に印字を行う際に、発生する余熱を外部に放出する複数の熱履歴部を有するサーマルヘッドを備えたサーマルヘッド駆動装置において、複数の熱履歴部は、千鳥状に配置され、かつ余熱を放出するためのＣｕ、Ａｌ、Ａｇ或いはＡｕのいずれかの金属で構成することにより、熱履歴部をサーマルヘッド駆動装置内に構成するものである。【選択図】      図１
2006326852.tif 000002
【特許請求の範囲】
【請求項１】
サーマルヘッドを駆動して感熱紙にライン毎に印字を行う際に、発生する余熱を外部に放出する複数の熱履歴部を有するサーマルヘッドを備えたサーマルヘッド駆動装置において、
前記複数の熱履歴部は、千鳥状に配置され、かつ前記余熱を放出するためのＣｕ、Ａｌ、Ａｇ或いはＡｕのいずれかの金属で構成されていることを特徴とするサーマルヘッド駆動装置。
【発明の詳細な説明】
【技術分野】
【０００１】
本発明はサーマルヘッド駆動装置に係り、特にサーマルヘッドを発熱させて記録媒体へライン毎に印字を行わせる際に、発生する熱を外部に放出するサーマルヘッド駆動装置に関する。
【背景技術】
【０００２】
従来の感熱紙や熱転写用インク等の記録媒体を加熱して印刷を行う感熱型印刷システムに用いられるサーマルヘッドは、複数の発熱抵抗体部とサーマルヘッド駆動装置により構成される。発熱抵抗体部は両端に電圧を加えられると電流が流れ発熱する。この発熱により印刷を行う。発熱した発熱抵抗体部は加えられる電圧を中断して発熱を停止しても、短時間には元の温度に戻らないため、次に発熱抵抗体部を加熱するときには残っている温度を加味した熱履歴補償を行って次の発熱による印刷を行っていた。
【０００３】
図３（Ａ）は、従来の複数の発熱抵抗体部とサーマルヘッド駆動装置を有するサーマルヘッドを示す図であり、図３（Ｂ）はサーマルヘッド駆動装置における熱履歴部の温度上昇範囲を示す図である。
図３（Ａ）に示すように、従来のサーマルヘッド１００は、両端に電圧を加えられると電流が流れ発熱する発熱抵抗体部１０１と、発熱した発熱抵抗体部１０１は加えられる電圧を中断して発熱を停止しても、短時間には元の温度に戻らないため、次に発熱抵抗体部１０１を加熱するときには残っている温度を加味した熱履歴補償を行う熱履歴部１０２と、複数の発熱抵抗体部１０１を同時に駆動するＬａｔｃｈ１０３と、シリアルに転送されてくる発熱情報を順次シフトしてパラレル情報に変換するＳｈｉｆｔ１０４とを有するサーマルヘッド駆動装置と、から構成される。
【０００４】
次に、動作について説明する。
まずシリアルに転送されてくる発熱情報とクロックからなるＤ０２をＳｈｉｆｔ１０４に入力しクロックにより発熱情報を順次転送しパラレル情報に変換した後Ｌａｔｃｈ１０３に加えラッチパルスＤ０１によりパラレル情報を記憶する。次に記憶されたパラレル情報を熱履歴補償データ係数Ｄ００により熱履歴部１０２で熱履歴補償を行った後、発熱抵抗体部１０１に加えて発熱抵抗体部１０１を発熱させ印刷を行う。
【０００５】
この時、熱履歴部１０２では、熱履歴補償を行うために高速演算を複数回行い消費電力も多く図３（Ｂ）に示すようにＬＳＩで構成された熱履歴部１０２が発熱し、このため熱履歴部１０２の周囲に高温部分１０５が発生する。このため、図３（Ｂ）に示すように、熱履歴部１０２の発熱によって発生する高温部分１０５が隣接の高温部分と重ならないよう直線的に配置される。
【０００６】
このようにして、熱履歴部１０２をサーマルヘッド１００の内部に構成することにより、シリアルに転送されてくる発熱情報に熱履歴補償を含める必要は無く、サーマルヘッドに合った熱履歴補償を行うことにより、印字品位の優れた印刷を行うことが出来る。
【０００７】
特許文献１には、高速印字を行うために、熱履歴部をサーマルヘッド駆動装置の内部に構成することが記載されている。
【特許文献１】特開平１０−３０５６０８号公報
【発明の開示】
【発明が解決しようとする課題】
【０００８】
しかしながら、サーマルヘッド駆動装置に熱履歴部１０２を構成することは、サーマルヘッド１００に合った熱履歴補償を行うことが可能となる反面、演算用機能を有するＬＳＩ部分の面積が大きく、しかも熱履歴部１０２の周囲には高温部分１０５が発生するので、更に見かけ上の占有面積が大きくなり、図３（Ｂ）に示すように、熱履歴部１０２の発熱によって発生する高温部分１０５が隣接の高温部分と重ならないよう直線的に配置しなければならず、このため、熱履歴部１０２の隣接間隔が大きくなり、従って、この熱履歴部１０２に接続される発熱抵抗体部１０１の間隔も大きくなるため、発熱抵抗体部１０１の発熱によって印刷される印刷物の印字間隔が大きくなり解像度の低下を生じると言う問題点があった。
【０００９】
そこで、本発明は、上記のような問題点を解消するためになされたもので、熱履歴部をサーマルヘッド駆動装置内に構成しても、発熱抵抗体部の間隔を小さくして、発熱抵抗体部の発熱によって印刷される印刷物の解像度を向上させることができるサーマルヘッド駆動装置を提供することを目的とする。
【課題を解決するための手段】
【００１０】
本願発明における第１の発明は、サーマルヘッドを駆動して感熱紙にライン毎に印字を行う際に、発生する余熱を外部に放出する複数の熱履歴部を有するサーマルヘッドを備えたサーマルヘッド駆動装置において、前記複数の熱履歴部は、千鳥状に配置され、かつ前記余熱を放出するためのＣｕ、Ａｌ、Ａｇ或いはＡｕのいずれかの金属で構成されていることを特徴とするサーマルヘッド駆動装置を提供する。
【発明の効果】
【００１１】
本発明によれば、サーマルヘッドを駆動して感熱紙にライン毎に印字を行う際に、発生する余熱を外部に放出する複数の熱履歴部を有するサーマルヘッドを備えたサーマルヘッド駆動装置において、  複数の熱履歴部は、千鳥状に配置され、かつ余熱を放出するためのＣｕ、Ａｌ、Ａｇ或いはＡｕのいずれかの金属で構成することにより、熱履歴部をサーマルヘッド駆動装置内に構成しても、発熱抵抗体部の間隔を小さくすることが可能となり、従って、発熱抵抗体部の発熱によって印刷される印刷物の解像度を向上させることができる。
【発明を実施するための最良の形態】
【００１２】
以下に本発明の実施形態に係るサーマルヘッド駆動装置について図１〜図２を用いて説明する。
図１は、本発明の実施形態におけるサーマルヘッド駆動装置を用いた感熱型印刷システムの構成を示す図であり、（Ａ）は感熱型印刷システムの構成を示す図であり、（Ｂ）は感熱型印刷システムの動作を説明するための側面図を示す図である。
図２は、本発明の実施形態に係るサーマルヘッド駆動装置を用いたサーマルヘッドのブロック図を示す図であり、（Ａ）はサーマルヘッド駆動装置の配列を示す図であり、（Ｂ）はサーマルヘッド駆動装置の熱履歴部の発熱を説明するための図である。
【００１３】
図１（Ａ）に示すように、本発明の実施形態におけるサーマルヘッド駆動装置を用いた感熱型印刷システム１は、画像入力装置２から送られてくる印刷情報を記憶し、印刷速度に合わせて記憶した印刷情報を読み出す記憶装置３と、記憶装置３から読み出された印刷情報を入力しこの印刷情報に応じた発熱を行うサーマルヘッド４と、サーマルヘッド４の発熱により印刷される記録媒体５と、サーマルヘッド４と記録媒体５とを駆動する駆動装置６と、から構成される。
更にサーマルヘッド４は、図１(Ｂ)に示すようにサーマルヘッドを構成する基材を保持する基盤７と、入力されるシリアル印刷情報をパラレル印刷情報に変換しかつ熱履歴補償を行い、発熱情報を出力するサーマルヘッド駆動装置８と、サーマルヘッド駆動装置８から供給された発熱情報により発熱しプラテンローラ１０により押圧され移動する記録媒体５の印刷を行う発熱抵抗体部９と、から構成される。
【００１４】
次に、本発明の実施形態におけるサーマルヘッド駆動装置を用いた感熱型印刷システム１の動作について説明する。
図１(Ａ)に示すように、画像入力装置２から送られてくる印刷情報を記憶装置３に記憶したのち、印刷速度に合わせて記憶した印刷情報を読み出してサーマルヘッド４に入力し、次にサーマルヘッド４を印刷情報に応じて発熱させ、記録媒体５を図１(Ｂ)に示すようにプラテンローラ１０により押圧し移動させながら印刷する。
【００１５】
そして、図２（Ａ）に示すように、サーマルヘッド４は、両端に電圧を加えられると電流が流れ発熱する発熱抵抗体部９と、発熱した発熱抵抗体部９は加えられる電圧を中断して発熱を停止しても、短時間には元の温度に戻らないため、次に発熱抵抗体部９を加熱するときには残っている温度を加味した熱履歴補償を行う熱履歴部８ａと、複数の発熱抵抗体部９を同時に駆動するＬａｔｃｈ８ｂと、シリアルに転送されてくる発熱情報を順次シフトしてパラレル情報に変換するＳｈｉｆｔ８ｃとを有するサーマルヘッド駆動装置８と、から構成される。
【００１６】
次に、サーマルヘッド４の動作について説明する。
まずシリアルに転送されてくる発熱情報とクロックからなるＤ２をＳｈｉｆｔ８ｃに入力しクロックにより発熱情報を順次転送しパラレル情報に変換した後Ｌａｔｃｈ８ｂに加えラッチパルスＤ１によりパラレル情報を記憶する。次に記憶されたパラレル情報を熱履歴補償データ係数Ｄ０により熱履歴部８ａで熱履歴補償を行った後、発熱抵抗体部９に加えて発熱抵抗体部９を発熱させる。この発熱により印刷を行う。
【００１７】
この時、熱履歴部８ａでは、熱履歴補償を行うために高速演算を複数回行い消費電力も多いため熱履歴部８ａが発熱し、熱履歴部８ａの周囲に高温部分が広くなるが、熱履歴補償データ係数Ｄ０を各熱履歴部に供給するデータ線を熱履歴部８ａのＬＳＩを作成する際に発熱する部分の上側を通過させるよう形成する。このデータ線は図２（Ｂ）の８ａ２部分に相当し、材料は放熱がよく抵抗値の低いＣｕ、Ａｌ、Ａｇ或いはＡｕ、白金等を用いる。
【００１８】
このようにデータ線を熱履歴部８ａのＬＳＩを作成する際に発熱する部分の上側を通過させるよう形成することにより、熱はＬＳＩの上部から空気中に放熱され図２(Ｂ)に示すように熱履歴部８ａの周囲の高温部分は範囲８ａ１となり、縮小することが出来る。
【００１９】
従って、図２(Ａ)に示すように熱履歴部８ａは千鳥状に配置することが可能となり、発熱抵抗体部への接続間隔を著しく小さくすることができる。
このため、従来は、熱履歴部を構成したサーマルヘッド駆動装置を用いて、印刷する場合の解像度は３００ｄｐｉ相当が限度であったものが、６００ｄｐｉ以上の高解像度が実現出来るようになった。
【００２０】
以上述べてきたように、本発明の実施形態におけるサーマルヘッド駆動装置を用いることにより、複数の熱履歴部は、千鳥状に配置され、かつ上部に熱を放出するためのＣｕ、Ａｌ、Ａｇ或いはＡｕのいずれかの金属を設けることにより、熱履歴部をサーマルヘッド駆動装置内に構成しても、発熱抵抗体部の間隔を小さくすることが可能となり、従って、発熱抵抗体部の発熱によって印刷される印刷物の解像度を著しく向上させることができる。
【図面の簡単な説明】
【００２１】
【図１】本発明の実施形態におけるサーマルヘッド駆動装置を用いた感熱型印刷システムの構成を示す図であり、（Ａ）は感熱型印刷システムの構成を示す図であり、（Ｂ）は感熱型印刷システムの動作を説明するための側面図を示す図である。
【図２】本発明の実施形態に係るサーマルヘッド駆動装置を用いたサーマルヘッドのブロック図を示す図であり、（Ａ）はサーマルヘッド駆動装置の配列を示す図であり、（Ｂ）はサーマルヘッド駆動装置の熱履歴部の発熱を説明するための図である。
【図３】従来のサーマルヘッド駆動装置を用いたサーマルヘッドのブロック図を示す図であり、（Ａ）はサーマルヘッド駆動装置の配列を示す図であり、（Ｂ）はサーマルヘッド駆動装置の熱履歴部の発熱を説明するための図である。
【符号の説明】
【００２２】
１・・・感熱型印刷システム、２・・・画像入力装置、３・・・記憶装置、４・・・サーマルヘッド、５・・・記録媒体、６・・・駆動装置、７・・・基盤、８・・・サーマルヘッド駆動装置、８ａ・・・熱履歴部、８ａ１・・・熱履歴部発熱範囲、８ａ２・・・ＬＳＩ上部データ線、８ｂ・・・Ｌａｔｃｈ、８ｃ・・・Ｓｈｉｆｔ、９・・・発熱抵抗体部、１０・・・プラテンローラ
【図１】
2006326852.tif 000003
【図２】
2006326852.tif 000004
【図３】
2006326852.tif 000005